【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
組織を通る穿刺をシーリングする装置において：
近位端と、組織を通る穿刺に挿入するサイズの遠位端と、当該遠位端上に拡張可能な部材とを具える細長部材と；
近位端と、組織を通る穿刺に挿入するサイズの遠位端と、前記近位端と遠位端の間に延在して、その中に前記細長部材を受けるサイズの内腔とを具えるカートリッジと；
前記カートリッジ内腔内の前記カートリッジ遠位端近傍に配置したシーラントと；
前記カートリッジ内腔内の前記シーラント近傍に配置した押出部材と；
作動時に前記シーラントに対して前記押出部材を遠位側にバイアスする、前記カートリッジが前記細長部材の近位端近傍に配置されている近位位置から、前記シーラントが前記拡張可能な部材近傍に配置されている遠位位置へ、前記細長部材に沿って移動可能であるタンピングデバイスであって、前記押出部材をバイアスして前記シーラントを前記拡張可能な部材に向けて押して遠位側へ移動させるタンピングデバイスと；
前記カートリッジの近位端上にあり、前記カートリッジを前記近位位置から前記遠位位置へ向けるカートリッジハブであって、その中に前記タンピングデバイスを具え、当該カートリッジハブが前記カートリッジの近位端へ摺動可能に接続されており、前記タンピングデバイスが前記カートリッジハブの中に前記カートリッジ近位端に固定的に接続されたスライダ部材と、前記押出部材の近位端に接続されたばね部材を具え、前記スライダ部材が前記カートリッジハブ内の第１の位置にバイアスされて、当該スライダ部材が前記カートリッジが前記遠位位置に向いたときに前記カートリッジと共に遠位側に移動するが、前記カートリッジが前記遠位位置に進むと第２の位置に前記カートリッジハブ内を近位側へ移動可能であり、これによって、前記ばね部材を圧縮して前記押出部材をバイアスし遠位側に移動させる、カートリッジハブと；
を具えることを特徴とする組織を通る穿刺をシーリングする装置。
【請求項２】
組織を通る穿刺をシーリングする装置において：
近位端と、組織を通る穿刺に挿入するサイズの遠位端と、当該遠位端上に拡張可能な部材とを具える細長部材と；
近位端と、組織を通る穿刺に挿入するサイズの遠位端と、前記近位端と遠位端の間に 延在して、その中に前記細長部材を受けるサイズの内腔とを具えるカートリッジと；
前記カートリッジ内腔内の前記カートリッジ遠位端近傍に配置したシーラントと；
前記カートリッジ内腔内の前記シーラント近傍に配置した押出部材と；
作動時に前記シーラントに対して前記押出部材を遠位側にバイアスする、前記カートリッジ近位端上のタンピングデバイスと；
を具えることを特徴とする組織を通る穿刺をシーリングする装置。
【請求項３】
請求項２に記載の装置において、前記カートリッジが前記細長部材に沿って、前記カートリッジが前記細長部材の近位端近傍に配置されている近位側位置から前記シーラントが前記拡張可能な部材近傍に配置されている遠位側位置へ移動可能であり、前記タンピングデバイスが前記押出部材を遠位側に移動させるようにバイアスして、前記拡張可能な部材に向けて前記シーラントを押すように作動することを特徴とする装置。
【請求項４】
請求項１又は３に記載の装置において、前記拡張可能な部材が、前記カートリッジが前記遠位側位置へ進む前に拡張した状態に拡張可能であり、前記タンピングデバイスが作動すると、前記シーラントが前記押出部材と前記拡張可能な部材との間で圧縮されることを特徴とする装置。
【請求項５】
請求項１、３及び４のいずれか１項に記載の装置において、前記細長部材と押出部材が、前記カートリッジが前記遠位側位置に進むときに互いに係合して、前記押出部材が前記細長部材に対して続いて近位側へ移動することを阻む共働構造を具えることを特徴とする装置。
【請求項６】
請求項２に記載の装置が更に、前記カートリッジ近位端上に前記カートリッジを前記近位側位置から前記遠位側位置へ方向づけるカートリッジハブを具え、当該カートリッジハブが当該ハブにタンピングデバイスを具えることを特徴とする装置。
【請求項７】
請求項６に記載の装置において、前記カートリッジハブが前記カートリッジ近位端に摺動可能に連結されており、前記タンピングデバイスが前記カートリッジ近位端に固定的に連結された前記カートリッジハブ内のスライダ部材と、前記押出部材の近位端に連結されたばね部材を具え、前記スライダ部材が前記カートリッジハブ内で第１の位置にバイアスされて、前記カートリッジが前記遠位側位置の方向に向けられると前記スライダ部材が前記カートリッジハブと共に遠位側に移動するが、前記カートリッジが前記遠位側位置に進むと前記カートリッジハブ内で第２の位置に近位側に移動可能であり、これによって、前記ばね部材を圧縮して前記押出部材を遠位側に移動するようにバイアスする、ことを特徴とする装置。
【請求項８】
請求項１又は７に記載の装置において、前記タンピングデバイスが更に、前記カートリッジが前記遠位側位置に進み前記スライダ部材が前記第２の位置に移動するときに前記押出部材に連結されている前記カートリッジハブに固定された支持部材を具え、これによって、前記押出部材上の共働構造と細長部材が係合して、前記細長部材に対する前記押出部材が更に近位側に移動することを阻むことを特徴とする装置。
【請求項９】
請求項１乃至８のいずれか１項に記載の装置がさらに、前記タンピングデバイスが作動位置にあることを表示するマーカを前記細長部材の上に具えることを特徴とする装置。
【請求項１０】
請求項２に記載の装置において、前記タンピングデバイスが自動前進ばねを具えることを特徴とする装置。
【請求項１１】
請求項１０に記載の装置において、前記ばね部材が前記押出部材と第２の押出部材との間に連結されていることを特徴とする装置。
【請求項１２】
請求項１又は７に記載の装置において、前記ばね部材が、前記押出部材を遠位側に前進させて、これによって、前記拡張可能な部材が拡張するときに、前記押出部材と前記拡張可能な部材との間のシーラントを圧縮するように構成されていることを特徴とする装置。
【請求項１３】
請求項２に記載の装置において、前記タンピングデバイスが第２の押出部材を具え、前記細長部材が留め具を具え、当該留め具は、前記第２の押出部材が当該留め具を超えて遠位側に進むときに、前記第２の押出部材上のラッチエレメントと係合することを特徴とする装置。
【請求項１４】
請求項２に記載の装置に使用するタンピング装置において：
前記カートリッジの近位端上のハウジングと；
前記ハウジング内にある前記カートリッジに連結されたスライダチューブであって、前記ハウジングに対して摺動可能なスライダチューブと；
前記スライダチューブと前記ハウジングの近位側面との間で圧縮可能な自動前進ばねと；
前記スライダチューブ内に配置されており、前記シーラント近傍の押出部材と前記ハウジング内の第２の押し出しチューブとの間に連結されているタンピングばねと；
を具えることを特徴とする装置。
【請求項１５】
請求項１４に記載の装置がさらに、前記ハウジング内に自動前進ばねを具え、当該自動前進ばねが前記自動前進ばねチューブを取り囲んでいることを特徴とする装置。
【請求項１６】
請求項１４に記載の装置において、前記スライダチューブが非作動位置と作動位置の間で摺動可能であり、前記押出部材が前記シーラントを圧縮する作動位置において前記カートリッジに対して遠位側に移動するようにバイアスされていることを特徴とする装置。
【請求項１７】
請求項１６に記載の装置において、前記非作動位置で、前記タンピングばねと前記自動前進ばねが実質的に弛緩していることを特徴とする装置。
【請求項１８】
請求項１６に記載の装置において、前記作動位置で、前記タンピングばねと前記自動前進ばねが、前記押出チューブを遠位側に移動させるようにバイアスする位置エネルギィを保存していることを特徴とする装置。
【請求項１９】
組織を通る穿刺をシーリングする装置において：
近位端と、組織を通る穿刺に挿入するサイズの遠位端と、当該遠位端上に拡張可能な部材とを具える細長部材と；
カートリッジであって、その近位端上のハウジングと、前記穿刺に挿入するサイズの遠位端と、前記カートリッジの近位端と遠位端の間に延在して、その中に前記細長部材を受けるサイズの内腔とを具えるカートリッジと；
前記カートリッジ内腔内の前記カートリッジ遠位端近傍に配置したシーラントと；
前記カートリッジ内腔内の前記シーラント近傍に配置した押出部材と；
タンピングデバイスであって：
前記ハウジング内で前記カートリッジに接続されたスライダチューブであって、前記ハウジングに対して摺動可能なスライダチューブと；
前記スライダチューブと前記ハウジングの近位側表面との間で圧縮可能な自動前進ばねと；
前記スライダチューブ内に配置され前記押出部材と二次押し出しチューブとの間に接続されたタンピングばねと；
を具えるタンピングデバイスと；
を具えることを特徴とする組織を通る穿刺をシーリングする装置。
【請求項２０】
請求項１９に記載の装置が更に、前記ハウジング内に自動前進ばねチューブを具え、前記自動前進ばねが当該自動前進ばねチューブを囲んでいることを特徴とする装置。
【請求項２１】
請求項１９に記載の装置において、前記スライダチューブが非動作位置と動作位置の間で摺動可能であり、前記押出チューブが前記動作位置において前記カートリッジに対して遠位側に移動するようにバイアスされて、前記シーラントを圧縮することを特徴とする装置。
【請求項２２】
請求項２１に記載の装置において、非動作位置で前記タンピングばねと前記自動前進ばねが実質的に弛緩することを特徴とする装置。
【請求項２３】
請求項１９に記載の装置において、動作位置で前記タンピングばねと前記自動前進ばねが位置エネルギィを保存して、前記押出チューブをバイアスして遠位方向に移動させることを特徴とする装置。
【請求項２４】
組織を通る穿刺をシーリングする装置において：
近位端と、組織を通る穿刺に挿入するサイズの遠位端と、当該遠位端上に拡張可能な部材とを具える細長部材と；
近位端と、組織を通る穿刺に挿入するサイズの遠位端と、前記近位端と遠位端の間に延在して、その中に前記細長部材を受けるサイズの内腔と、前記カートリッジの近位端に摺動可能に接続したカートリッジハブとを具えるカートリッジと；
前記カートリッジ内腔内の前記カートリッジ遠位端近傍に配置したシーラントと；
前記カートリッジ内腔内の前記シーラント近傍に配置した押出部材と；
作動時に前記シーラントに対して前記押出部材を遠位側にバイアスする前記カートリッジのハウジング内のタンピングデバイスと；を具え、
前記カートリッジが前記細長部材の近位端近傍に配置されている近位端から、前記シーラントが前記拡張可能な部材近傍に配置されている遠位位置へ、前記細長部材に沿って移動可能であり、前記タンピングデバイスが、前記押出部材をバイアスして前記シーラントを前記拡張可能な部材に向けて押して遠位側へ移動させ；
前記タンピングデバイスが前記カートリッジの近位位置に固定的に接続されたカートリッジハブの中のスライダ部材と、前記押出部材の近位端に接続したばね部材を具え、前記スライダ部材が前記カートリッジハブ内の第１の位置にバイアスされて、当該スライダ部材が前記カートリッジが前記遠位位置に向いたときに前記カートリッジハブと共に遠位側に移動するが、前記カートリッジが前記遠位位置に進むと第２の位置に前記カートリッジハブ内を近位側へ移動可能であり、これによって、前記ばね部材を圧縮して前記押出部材をバイアスし遠位側に移動させる；
ことを特徴とする組織を通る穿刺をシーリングする装置。